(57)【要約】【課題】ハンマーアクション付きの電子鍵盤楽器において、電子部品の収容スペースを確保しつつ好適に小型化を図る。【解決手段】電子鍵盤楽器１は、複数の鍵２１と、複数の鍵２１に対応して設けられ、対応する鍵２１の下部に設けられた回動軸２４１を中心に回動可能に軸支され、回動軸２４１よりも前側にある連結部２２２が鍵２１の押下により押し下げられることに応じて回動軸２４１よりも後側にある錘部２２１が持ち上げられるように各々が構成された複数のハンマー部材２２と、複数の鍵２１及び複数のハンマー部材２２を収容する楽器ケース３０とを備える。連結部２２２の動作範囲の下限位置Ｈ３は錘部２２１の動作範囲の下限位置Ｈ２よりも上側に位置しており、楽器ケース３０の内部のうち、鍵２１の動作範囲の下限位置Ｋ２よりも下側であって回動軸２４１よりも前側の部分に、電池７を収容する電池ボックス３７が設けられている。【選択図】図３
2020064195.tif 000002
【特許請求の範囲】
【請求項１】
複数の鍵と、
前記複数の鍵に対応して設けられ、対応する鍵の下部に設けられた回動軸を中心に回動可能に軸支され、前記回動軸よりも前側にある連結部が前記鍵の押下により押し下げられることに応じて前記回動軸よりも後側にある錘部が上昇するように各々が構成された複数のハンマー部材と、
前記複数の鍵及び前記複数のハンマー部材を収容する楽器ケースと、
を備え、
前記連結部の動作範囲の下限位置は、前記錘部の動作範囲の下限位置よりも上側に位置しており、
前記楽器ケースの内部のうち、前記鍵の動作範囲の下限位置よりも下側であって前記回動軸よりも前側の部分に、第１の電子部品を収容する第１電子部品収容部が設けられている電子鍵盤楽器。
【請求項２】
前記第１電子部品収容部は、前記連結部の動作範囲の下限位置よりも下側に設けられている、
請求項１に記載の電子鍵盤楽器。
【請求項３】
前記第１電子部品収容部は、前記連結部の動作範囲の前端位置よりも前側に設けられている、
請求項１又は請求項２に記載の電子鍵盤楽器。
【請求項４】
前記ハンマー部材の動作範囲の後端位置は、前記鍵の後端位置よりも前側に位置し、
前記楽器ケースの内部のうち、前記鍵の後端位置よりも後側に、第２の電子部品を収容する第２電子部品収容部が設けられている、
請求項１から請求項３のいずれか一項に記載の電子鍵盤楽器。
【請求項５】
前記ハンマー部材の前記錘部が前記動作範囲の下限位置にあるときには、前記錘部の下面が前記楽器ケースの下面に対して平行になる、
請求項１から請求項４のいずれか一項に記載の電子鍵盤楽器。
【請求項６】
前記第１電子部品収容部が前記楽器ケースの底面に露出している、
請求項１から請求項５のいずれか一項に記載の電子鍵盤楽器。
【請求項７】
前記楽器ケースは、背面を接地させて起立可能なように、前記背面に平坦部を有している、
請求項６に記載の電子鍵盤楽器。
【請求項８】
前記楽器ケースは上部ケース及び下部ケースを有し、
前記第１電子部品収容部は、前記下部ケースの底板を下方への凹状に凹凸させた部分である、
請求項１から請求項７のいずれか一項に記載の電子鍵盤楽器。
【請求項９】
前記下部ケースは、前記複数の鍵の配列方向のうち前記第１電子部品収容部が設けられた部分を除くほぼ全域に亘る範囲であって、前記第１電子部品収容部が設けられた前後方向位置に、前記配列方向に沿って延在しつつ上方への凸状に形成された第１凹凸部を有し、
前記第１電子部品収容部と前記第１凹凸部とが前記配列方向に連なっている、
請求項８に記載の電子鍵盤楽器。
【請求項１０】
前記回動軸が設けられたハンマー支持部材を備え、
前記下部ケースのうち、前記回動軸に対応する位置であって、前記第１電子部品収容部と前記錘部との間の前後方向位置には、前記ハンマー支持部材を下から支持する第２凹凸部が、前記複数の鍵の配列方向に沿って延在するように設けられている、
請求項８又は請求項９に記載の電子鍵盤楽器。
【請求項１１】
前記複数の鍵を下側で支持する鍵支持部材を備え、
前記鍵支持部材は、
前記下部ケースの前記第１凹凸部が嵌るように下方に凹状に設けられるとともに前記配列方向に沿って延在する溝部を有し、
前記溝部のうち、前記第１電子部品収容部に対応する前記配列方向の位置には、補強リブが立設されている、
請求項９に記載の電子鍵盤楽器。
【請求項１２】
前記下部ケースと前記鍵支持部材は前記第１電子部品収容部の近傍においてねじで締結されている、
請求項１１に記載の電子鍵盤楽器。
【請求項１３】
前記第１電子部品収容部が電池を収容する部分である、
請求項１から請求項１２のいずれか一項に記載の電子鍵盤楽器。
【請求項１４】
前記第１電子部品収容部は、円形の電池の長手方向が前記複数の鍵の配列方向に対応する向きになるようにして複数列で電池を収容し、前記複数列の間を分離する隆起部を有する、
請求項１３に記載の電子鍵盤楽器。
【請求項１５】
前記第１電子部品収容部は、ピアノにおける口棒のある前記楽器ケースの前側の位置であって、前記楽器ケースの背面板を下にして前記楽器ケースを起立させた状態で電池交換可能な位置に設けられている、
請求項１３又は請求項１４に記載の電子鍵盤楽器。
【発明の詳細な説明】
【技術分野】
【０００１】
本発明は、電子鍵盤楽器に関する。
【背景技術】
【０００２】
従来、電子鍵盤楽器の打鍵時の感触をアコースティックの鍵盤楽器のものに近づける目的で、鍵への打鍵操作に応じて揺動するハンマー部材を設けたものが知られている。
この種の電子鍵盤楽器においては、ハンマー部材の動作機構をケース内部に設ける必要があるため、例えば電池やスピーカー等の電子部品の収容スペースを確保することが特に難しくなる。
【０００３】
そこで、例えば特許文献１に記載の電子鍵盤楽器では、鍵盤と下ケースの底板との間に電子部品の収容スペースを設けることにより、このスペースを鍵盤の後方や下ケースの下方に設ける場合に比べ、外形の小型化を図っている。
【先行技術文献】
【特許文献】
【０００４】
【特許文献１】特開２００８−１０２４９４号公報
【発明の概要】
【発明が解決しようとする課題】
【０００５】
しかしながら、上記特許文献１に記載の電子鍵盤楽器では、電子部品の収容スペースの上方にハンマー部材の動作機構が配置されるため、上下方向の小型化を図ることが難しい。
【０００６】
本発明は、以上のような事情に鑑みてなされたものであり、ハンマーアクション付きの電子鍵盤楽器において、電子部品の収容スペースを確保しつつ好適に小型化を図ることを目的とするものである。
【課題を解決するための手段】
【０００７】
上記目的を達成するために、本発明に係る電子鍵盤楽器は、
複数の鍵と、
前記複数の鍵に対応して設けられ、対応する鍵の下部に設けられた回動軸を中心に回動可能に軸支され、前記回動軸よりも前側にある連結部が前記鍵の押下により押し下げられることに応じて前記回動軸よりも後側にある錘部が上昇するように各々が構成された複数のハンマー部材と、
前記複数の鍵及び前記複数のハンマー部材を収容する楽器ケースと、
を備え、
前記連結部の動作範囲の下限位置は、前記錘部の動作範囲の下限位置よりも上側に位置しており、
前記楽器ケースの内部のうち、前記鍵の動作範囲の下限位置よりも下側であって前記回動軸よりも前側の部分に、第１の電子部品を収容する第１電子部品収容部が設けられている。
【発明の効果】
【０００８】
本発明によれば、ハンマーアクション付きの電子鍵盤楽器において、電子部品の収容スペースを確保しつつ好適に小型化を図ることができる。
【図面の簡単な説明】
【０００９】
【図１】実施形態における電子鍵盤楽器の斜視図である。
【図２】図１に示す電子鍵盤楽器の分解斜視図である。
【図３】図２のIII−III線での電子鍵盤楽器の断面図であって、（ａ）が常態（離鍵時）のものであり、（ｂ）が打鍵時のものである。
【図４】図１に示す電子鍵盤楽器の背面図である。
【図５】（ａ）背面を接地させた状態での電子鍵盤楽器の左側面図であり、（ｂ）下面図である。
【図６】電池ボックスがない左右方向位置における下部ケースの側断面図である。
【図７】（ａ）鍵盤シャーシの下面図であり、（ｂ）鍵盤シャーシのうち電池ボックスに対応する部分を拡大した斜視図である。
【図８】電池ボックスがある部分における鍵盤シャーシと下部ケースとの固定構造を説明するための部分断面図である。
【発明を実施するための形態】
【００１０】
以下、図１から図８を参照しつつ、本発明に係る電子鍵盤楽器の一実施形態について説明する。本実施形態では、電子鍵盤楽器が電子ピアノやキーボード等である場合を例として説明する。
なお、以下に述べる実施形態には、本発明を実施するために技術的に好ましい種々の限定が付されているが、本発明の範囲を以下の実施形態及び図示例に限定するものではない。
【００１１】
図１は、本実施形態における電子鍵盤楽器１の斜視図であり、図２は、図１に示す電子鍵盤楽器１の分解斜視図であり、図３は、図２のIII−III線での電子鍵盤楽器１の断面図であって、（ａ）が常態（離鍵時）のものであり、（ｂ）が打鍵時のものである。また、図４は、電子鍵盤楽器１の背面図であり、図５（ａ），（ｂ）は、背面を接地させた状態での電子鍵盤楽器１の左側面図及び下面図である。なお、本実施形態においては、上下、左右及び前後は図１〜図４に示した向きをいうものとする。
図１〜図３（ａ），（ｂ）に示すように、本実施形態の電子鍵盤楽器１は、複数の鍵２１を備える鍵盤ユニット２と、鍵盤ユニット２が配置される下部ケース３と、鍵盤ユニット２を収容する空間を有し、下部ケース３の上に配置される上部ケース５とを備えている。
【００１２】
鍵盤ユニット２は、白鍵２１ａ及び黒鍵２１ｂからなる複数の鍵２１と、複数のハンマー部材２２とを備えている。
複数の鍵２１は、電子鍵盤楽器１の長手方向（図１及び図２に示す左右方向）に並行に配列され、当該複数の鍵２１を支持する鍵盤シャーシ２３に上側から組み付けられている。各鍵２１は、前後方向に延在するように配置されて、後端部が鍵盤シャーシ２３上部後端の軸支部２３１に軸支されており、打鍵時にはこの軸支部２３１回りに上下方向に回動（又は揺動）可能となっている。
より詳しくは、鍵盤シャーシ２３の前部には白鍵２１ａの回動範囲を規定する上側ストッパ２３２及び下側ストッパ２３３が配置されており、白鍵２１ａの前部下端が上側ストッパ２３２に当接する上限位置Ｋ１と、当該前部下端が下側ストッパ２３３に当接する下限位置Ｋ２との間の範囲内で、白鍵２１ａが回動するようになっている。また、黒鍵２１ｂの回動範囲も、図示しない上側ストッパ及び下側ストッパにより、白鍵２１ａの回動範囲と同程度に規定されるようになっている。
【００１３】
複数のハンマー部材２２は、複数の鍵２１に対応して設けられ、対応する鍵２１の動きに応じて動作して当該鍵２１にアクション荷重を付与する。
具体的に、各ハンマー部材２２は、前後方向に長尺な形状に形成されている。
各ハンマー部材２２は、前端よりもやや後側の部分において、鍵盤シャーシ２３に固定されるハンマー支持部材２４に軸支されており、対応する鍵２１の下部に設けられたハンマー支持部材２４の回動軸２４１回りに上下方向に回動する。
各ハンマー部材２２の後端部は、予め定められた重量を有する錘部２２１となっている。この錘部２２１の後端位置（ハンマー部材２２の回動範囲における後端）Ｈ５は、鍵２１の後端位置Ｋ３よりも前側に位置している。ただし、この錘部２２１の後端位置Ｈ５は、後述する電子部品収容スペース５５を圧迫しないように、鍵２１の後端位置Ｋ３と前後方向の位置がほぼ一致していればよく、多少であれば鍵２１の後端位置Ｋ３よりも後方に位置していてもよい。
各ハンマー部材２２の前端部は、対応する鍵２１に連結された連結部２２２となっている。この連結部２２２は、白鍵２１ａの前後方向中央よりやや前側であって、黒鍵２１ｂの前端にあたる前後方向位置に配置されている。
【００１４】
このような構成により、ハンマー部材２２は、対応する鍵２１への打鍵操作が行われてこの鍵２１が押し下げられると、当該鍵２１に連結された連結部２２２が押し下げられ、回動軸２４１を中心に錘部２２１が上昇する方向に回動する。また、打鍵操作が止んで離鍵されると、ハンマー部材２２は、錘部２２１の自重によって当該錘部２２１が下降する方向に回動する。
このとき、ハンマー部材２２の回動は、錘部２２１が上側ストッパ２２５及び下側ストッパ２２６と当接する範囲内に規制される。より詳しくは、錘部２２１の回動範囲は、当該錘部２２１が上側ストッパ２２５に当接する上限位置Ｈ１と、下側ストッパ２２６に当接する下限位置Ｈ２との間に規制される。同様に、連結部２２２の回動範囲は、錘部２２１が上側ストッパ２２５に当接する下限位置Ｈ３と、錘部２２１が下側ストッパ２２６に当接する上限位置Ｈ４との間に規制される。連結部２２２の回動範囲の下限位置Ｈ３は、錘部２２１の回動範囲の下限位置Ｈ２よりも上側に位置している。なお、連結部２２２の回動範囲の下限位置Ｈ３とは、連結部２２２と連結された鍵２１側の部分を含むその最下部の位置をいうものとする。
また、ハンマー部材２２の錘部２２１は、回動範囲の上限位置Ｈ１にあるときに当該錘部２２１の上面が鍵盤シャーシ２３の上面に略平行（略水平）になり、かつ、回動範囲の下限位置Ｈ２にあるときには当該錘部２２１の下面が楽器ケース３０（下部ケース３）の下面に対して略平行（略水平）になるように、その側面視形状が三角形状に形成されている。
【００１５】
下部ケース３及び上部ケース５は、ねじ止め固定等により互いに一体化されて、電子鍵盤楽器１の外装部分であり内部に鍵盤ユニット２を収容する楽器ケース３０を構成する。
本実施形態において、下部ケース３及び上部ケース５は、例えばポリスチレン (polystyrene)（ＰＳ）やＡＢＳ樹脂（アクリロニトリル・ブタジエン・スチレン共重合合成樹脂）等の各種樹脂によってそれぞれ一体的に形成されている。下部ケース３及び上部ケース５を形成する手法は特に限定されないが、例えば金型を用いた一体成型等により形成される。
このように、下部ケース３及び上部ケース５をそれぞれ一体的に形成することにより、楽器ケース３０を簡易に製造できるとともに、部材間の継ぎ目が下部ケース３と上部ケース５との接合部分以外には表に現れず、美しい外観に仕上げることができる。
【００１６】
上部ケース５は、ほぼ枠状に一体的に形成されており、下部ケース３の上に配置される。
上部ケース５は、背面板５１と、前面板５２とを有している。
背面板５１は電子鍵盤楽器１の後ろ側（奥側）の面を構成し、前面板５２は電子鍵盤楽器１の前側（手前側）の面を構成しており、背面板５１と前面板５２とは、互いに対向している。
なお、前面板５２は、上部ケース５が下部ケース３の上部に組み付けられた際に鍵盤ユニット２の鍵２１の前側に配置され、ピアノにおける口棒として機能する。
また、上部ケース５の両側部は、側面部５３となっている。
【００１７】
さらに、上部ケース５の上側には、背面板５１の上端部から楽器前方に向かって延出する上面板５４が設けられている。上面板５４は前後方向の中程よりやや後側まで延出しており、そこよりも前側の開口部からは鍵盤ユニット２の複数の鍵２１が露出している。また、上面板５４の左右方向中央には、各種操作子や表示部が配列されたコンソール部６０が設けられている。
【００１８】
図４に示すように、背面板５１の楽器背面（後面）には、音声が出力されるスピーカー部５１１と、各種の接続端子６１が配置された端子部５１２とが設けられている。スピーカー部５１１は背面板５１の左右両端に配置され、周囲の背面板５１部分とほぼ面一（少なくとも後方に突出していない）となっている。端子部５１２は背面板５１の左右方向中央部に配置され、接続端子６１が周囲の背面板５１部分よりも後方に突出しないように、やや凹んでいる。
また、背面板５１の楽器背面は、スピーカー部５１１と端子部５１２を除くほぼ全面が平坦部となっている。そして、スピーカー部５１１と端子部５１２はこの平坦部から突出してはいない。そのため、図５（ａ），（ｂ）に示すように、背面板５１の平坦部を接地させた状態で電子鍵盤楽器１を起立させることができる。なお、楽器ケース３０の楽器背面が、接地させて電子鍵盤楽器１を起立可能な平坦部を有していればよく、楽器ケース３０の構造によっては上部ケース５でなく下部ケース３に平坦部が設けられていてもよいし、この背面における平坦部の位置や面積等も特に限定されない。
一方、背面板５１のケース内面（前面）には、図２及び図３に示すように、スピーカーユニット６２と回路基板６３とが取り付けられている。より詳しくは、楽器ケース３０の内部のうち鍵２１の後端位置Ｋ３よりも後側の部分が電子部品収容スペース５５となっており、この電子部品収容スペース５５内にスピーカーユニット６２と回路基板６３とが収容されている。本実施形態では、上述のとおり、ハンマー部材２２の回動範囲の後端位置Ｈ５が鍵２１の後端位置Ｋ３よりも前側に位置している（ハンマー部材２２の回動範囲の後端位置Ｈ５と鍵２１の後端位置Ｋ３との前後方向の位置がほぼ一致している）。そのため、楽器ケース３０内の後部に電子部品収容スペース５５を確保しやすくすることができ、ひいては楽器ケース３０の外形をコンパクトに構成することができる。
【００１９】
下部ケース３は、左右方向に長尺なほぼ平板状に構成されており、上面に鍵盤ユニット２が配置される。
図２に示すように、下部ケース３には、上方向に突出し内部に下部ケース３の表裏に貫通する孔が形成されたボス部３１が、下部ケース３の外周縁に沿って複数設けられている。また、下部ケース３の前側の端縁には、下部ケース３の表裏に貫通するねじ孔３２が複数形成されている。なお、ボス部３１やねじ孔３２の設けられる位置や数は特に限定されず、図示例に限られない。
本実施形態において、上部ケース５の裏面側にはこのボス部３１及びねじ孔３２に対応する位置に図示しないねじ孔が形成されている。そして、ボス部３１にはねじ７１が、ねじ孔３２にはねじ７２が、それぞれ下部ケース３の下面側（電子鍵盤楽器１の底面側）から挿通され、上部ケース５側のねじ孔に螺着されることにより、これらねじ７１及びねじ７２によって、下部ケース３と上部ケース５とがねじ止め固定されるようになっている。
【００２０】
また、下部ケース３において鍵盤ユニット２が配置される部分には、下部ケース３の表裏に貫通するねじ孔３３が形成されている。鍵盤ユニット２の鍵盤シャーシ２３にはこのねじ孔３３に対応する位置に図示しないねじ孔が形成されており、このねじ孔３３に上方向及び下方向の少なくとも一方からねじ７３が挿通されることにより、鍵盤ユニット２が下部ケース３上にねじ止めされ、固定されるようになっている。また、後述するねじ３７２（図８参照）によっても、鍵盤ユニット２の鍵盤シャーシ２３と下部ケース３とが固定されるようになっている。なお、ねじ孔３３の設けられる位置や数は特に限定されず、図示例に限られない。
【００２１】
図６は、後述する電池ボックス３７がない左右方向位置における下部ケース３の側断面図である。
下部ケース３には、図２及び図６に示すように、長手方向（左右方向）に沿った複数列のチャンネル部が形成されている。チャンネル部は、主に下部ケース３の剛性（特に長手方向での曲げや捩りに対する剛性）を高める目的で、底面（下面）から突出しないように上方（ケース内側）への凸状かつ下方への凹状に底板を凹凸させたものである。
本実施形態の下部ケース３には、前端に位置する第１チャンネル部３５と、前後方向の中央よりやや前側に位置する第２チャンネル部３６とが設けられている。
このうち、第１チャンネル部３５は、下部ケース３のうち、左右方向における後述の電池ボックス３７が設けられた部分を除くほぼ全域に亘る範囲であって、電池ボックス３７が設けられた前後方向位置に設けられている。つまり、第１チャンネル部３５と後述の電池ボックス３７とは、左右方向に互いに連なるようにして、下部ケース３の左右方向のほぼ全長に亘って設けられている。
一方、第２チャンネル部３６は、比較的に前後に幅広に形成されつつ、下部ケース３の左右方向ほぼ全長に亘って延在するように設けられている。この第２チャンネル部３６は、図３（ａ）、（ｂ）に示すように、下部ケース３のうち、ハンマー支持部材２４の回動軸２４１に対応する位置であって、後述の電池ボックス３７と錘部２２１との間の前後方向位置に設けられており、ハンマー支持部材２４を下から支持している（本実施形態では、ハンマー支持部材２４とねじ固定されている）。
【００２２】
図３（ａ）、（ｂ）及び図５に示すように、下部ケース３のうち、前側の端部であって左右方向のほぼ中央には、複数の電池７を収容する電池ボックス３７が設けられている。
具体的に、電池ボックス３７は、複数の鍵２１及び複数のハンマー部材２２のいずれの動作にも干渉しないように、左右方向と直交する平面内において、複数の鍵２１及び複数のハンマー部材２２のいずれの動作範囲（回動範囲）からも外れた位置に配置されている。より詳しくは、電池ボックス３７は、鍵２１（白鍵２１ａ）の動作範囲の下限位置Ｋ２よりも下側に配置されることで鍵２１との干渉が回避され、同時にハンマー部材２２の連結部２２２の動作範囲の前端位置Ｈ６よりも前側に配置されることでハンマー部材２２との干渉が回避されている。
なお、電池ボックス３７は、楽器ケース３０の内部空間のうち、鍵２１（白鍵２１ａ）の動作範囲の下限位置Ｋ２よりも下側であって、ハンマー部材２２の回動軸２４１よりも前側の部分に配置されていればよい。この場合、電池ボックス３７の後端位置Ｂ１は、回動軸２４１よりも前側であれば、連結部２２２の前端位置Ｈ６よりも後ろに位置していてもよい。これにより、電池ボックス３７と鍵２１との干渉を回避できるのは勿論のこと、錘部２２１よりも動作範囲の下限位置が高い連結部２２２のある回動軸２４１の前側に電池ボックス３７を配置したので、電池ボックス３７とハンマー部材２２との干渉を回避しつつ、より上下に広い収容スペースを確保することができる。
ただし、電池ボックス３７とハンマー部材２２との干渉回避においては、電池ボックス３７が連結部２２２の動作範囲の下限位置Ｈ３よりも下側に配置されることが好ましく、本実施形態のように連結部２２２の動作範囲の前端位置Ｈ６よりも前側に配置されることがより好ましい。電池ボックス３７を連結部２２２の動作範囲の前端位置Ｈ６よりも前側に配置することで、連結部２２２の動作範囲の下限位置Ｈ３より下側に配置する場合に比べ、電池ボックス３７の高さをより高く確保することができる。
また、電池ボックス３７の位置は、ピアノにおける口棒のある楽器ケース３０の前側の位置であって、背面板５１を下にして楽器ケース３０を起立させた状態で電池交換可能な位置となっている（図４参照）。
【００２３】
この電池ボックス３７は、下部ケース３の底板を下方への凹状に凹凸させた形状とすることにより、下部ケース３の底面に露出しつつ底面に対して凹状に形成されている。そして、この凹部の開口部を蓋部材３８で閉塞させることにより、内部に複数の電池７を収容する空間が画成されている。本実施形態の電池ボックス３７は、円形の電池７を包むような湾曲した形状に形成されるとともに、電池７の長手方向が左右方向を向くようにして、前後に２列、左右に３列の合計６個の電池７を収容できるようになっている。電池ボックス３７内の上面には、前後２列の電池７の間を分離する隆起部３９が左右方向に延在するように設けられており、この隆起部３９により、前後２列の電池７を好適に分離して収容しつつ下部ケース３の剛性を高めることができる。
また、電池ボックス３７は、下部ケース３上に敷設された図示しない電源ケーブルを通じて回路基板６３と電気的に接続されており、電池７の電力が回路基板６３に供給される。回路基板６３は、電源ケーブルの長さが短くなるように、電池ボックス３７に対応する左右方向の位置（ほぼ中央）に設けられている。
【００２４】
また、電池ボックス３７は、上述したように、第１チャンネル部３５と同様に下部ケース３を凹凸させた形状であるため、一定程度の剛性向上効果は期待できる。しかし、電池ボックス３７は、内部に収容する電池７のサイズ等によって形状が制限されてしまい、左右方向に連なる第１チャンネル部３５と同様の形状に形成することは難しい。そのため、左右方向のうち電池ボックス３７の部分において、下部ケース３の剛性が低下してしまうおそれがある。
【００２５】
そこで、本実施形態の電子鍵盤楽器１では、下部ケース３の上方に配置される鍵盤ユニット２の鍵盤シャーシ２３を利用して下部ケース３の剛性を補う構造を採っている。以下にこの構造について説明する。
図７（ａ）は、鍵盤シャーシ２３の下面図であり、図７（ｂ）は、鍵盤シャーシ２３のうち電池ボックス３７に対応する部分を拡大した斜視図である。また、図８は、電池ボックス３７がある部分における鍵盤シャーシ２３と下部ケース３との固定構造を説明するための部分断面図である。
図７（ａ），（ｂ）に示すように、鍵盤シャーシ２３の前側部分には、下方に凹状に設けられるとともに左右方向に沿って延在する溝部２３４が、鍵盤シャーシ２３のほぼ全長に亘って設けられている。この溝部２３４は、下部ケース３の第１チャンネル部３５が嵌るように、第１チャンネル部３５に対応する前後方向位置に設けられている。
溝部２３４のうち、電池ボックス３７に対応する左右方向位置には、当該溝部２３４を仕切るように前後方向に立設された補強リブ２３５が設けられている。本実施形態では、６つの補強リブ２３５がほぼ等間隔で設けられている。また、溝部２３４内のうち、隣り合う補強リブ２３５の間には、下方向きのねじ孔２３６が形成されている。そして、図８に示すように、電池ボックス３７の挿通孔３７１に下方から挿通させたねじ３７２を鍵盤シャーシ２３のねじ孔２３６に螺合させることにより、下部ケース３と鍵盤シャーシ２３が電池ボックス３７の近傍において締結されるようになっている。
【００２６】
このように、鍵盤シャーシ２３のうち電池ボックス３７に対応する部分に剛性を高める補強リブ２３５を立設したうえで、鍵盤シャーシ２３と下部ケース３とを電池ボックス３７の近傍で締結固定することにより、電池ボックス３７の配置によって懸念される下部ケース３の剛性低下を抑制することができる。
なお、補強リブ２３５は、鍵盤シャーシ２３の剛性を向上させるものであればその数量や形状は特に限定されない。また、鍵盤シャーシ２３と下部ケース３を固定するねじ３７２及びねじ孔２３６の位置は、電池ボックス３７の近傍（電池ボックス３７自体の位置を含むその近傍）であれば特に限定はされない。さらに言えば、鍵盤シャーシ２３と下部ケース３とは固定されていればよく（補強リブ２３５による下部ケース３の剛性向上効果が得られ）、その固定位置は電池ボックス３７の近傍でなくともよい。ただし、鍵盤シャーシ２３と下部ケース３とが電池ボックス３７からより近い位置でより強固に固定されるのが好ましいのはもちろんである。
【００２７】
以上のように、本実施形態の電子鍵盤楽器１によれば、複数の鍵２１及び複数のハンマー部材２２を収容する楽器ケース３０の内部のうち、鍵２１の動作範囲の下限位置Ｋ２よりも下側であってハンマー部材２２の回動軸２４１よりも前側の部分に、電池７を収容する電池ボックス３７が設けられている。また、ハンマー部材２２の連結部２２２の動作範囲の下限位置Ｈ３は、錘部２２１の動作範囲の下限位置Ｈ２よりも上側に位置している。
これにより、鍵２１とハンマー部材２２のいずれの動作範囲にも干渉しないように電池ボックス３７を配置することができる。また、錘部２２１よりも動作範囲の下限位置が高い連結部２２２のある回動軸２４１の前側に電池ボックス３７が配置されるため、電子部品の収容スペースがハンマー部材の下方に配置されていた従来に比べ、より上下に広い収容スペースを確保することができ、ひいては楽器ケース３０の外形を上下方向にコンパクトに構成することができる。
したがって、ハンマーアクション付きの電子鍵盤楽器１において、電池７の収容スペースを確保しつつ好適に小型化を図ることができる。
【００２８】
また、電池ボックス３７が連結部２２２の動作範囲の下限位置Ｈ３よりも下側に設けられているので、電池ボックス３７とハンマー部材２２との干渉を確実に防ぐことができる。
さらに、電池ボックス３７が連結部２２２の動作範囲の前端位置Ｈ６よりも前側に設けられているので、電池ボックス３７を連結部２２２の動作範囲の下限位置Ｈ３よりも下側に配置する場合に比べ、電池ボックス３７の高さをより高く確保することができる。
【００２９】
また、ハンマー部材２２の動作範囲の後端位置Ｈ５が鍵２１の後端位置Ｋ３よりも前側に位置しており、楽器ケース３０の内部のうち鍵２１の後端位置Ｋ３よりも後側に、スピーカーユニット６２や回路基板６３を収容する電子部品収容スペース５５が設けられている。
そのため、楽器ケース３０内の後部に電子部品収容スペース５５を確保しやすくすることができ、ひいては楽器ケース３０の外形をコンパクトに構成することができる。
【００３０】
また、ハンマー部材２２の錘部２２１が動作範囲の下限位置Ｈ２にあるときには、錘部２２１の下面が楽器ケース３０（下部ケース３）の下面に対して平行になっている。
そのため、錘部２２１を大きくした場合であっても、楽器ケース３０の下部に錘部２２１を効果的に収めることができ、楽器ケース３０を上下方向にコンパクトに構成することができる。
【００３１】
また、楽器ケース３０（上部ケース５）が、背面を接地させて起立可能なように背面板５１の楽器背面に平坦部を有しているので、電子鍵盤楽器１を起立させて下部ケース３の底面に露出した電池ボックス３７を正面に向けることでき、ひいては電池７の交換を容易に行うことができる。
さらに、電池ボックス３７が楽器ケース３０の前側の位置であって、背面板５１を下にして楽器ケース３０を起立させた状態で電池交換可能な位置に設けられているので、電池７の交換をより一層容易に行うことができる。
【００３２】
また、電池ボックス３７が下部ケース３の底板を下方への凹状に凹凸させた部分であるので、この電池ボックス３７を設けることで下部ケース３の剛性を向上させることができる。
【００３３】
また、下部ケース３には、左右方向のうち電池ボックス３７が設けられた部分を除くほぼ全域に亘る範囲であって電池ボックス３７が設けられた前後方向位置に、左右方向に沿って延在しつつ上方への凸状に形成された第１チャンネル部３５が設けられており、この第１チャンネル部３５と電池ボックス３７とが左右方向に連なっている。
これにより、剛性を向上させる第１チャンネル部３５の一部として電池ボックス３７を機能させることができる。
【００３４】
また、下部ケース３のうち、ハンマー部材２２の回動軸２４１に対応する位置であって、電池ボックス３７と錘部２２１との間の前後方向位置には、ハンマー支持部材２４を下から支持する第２チャンネル部３６が、左右方向に沿って延在するように設けられている。
そのため、打鍵によって回動軸２４１に力が加わった場合でも、ハンマー部材２２を安定した位置で回動させることができる。
【００３５】
また、鍵盤シャーシ２３の溝部２３４のうち、電池ボックス３７に対応する左右方向位置には、補強リブ２３５が立設されているので、電池ボックス３７の剛性寄与がこれと連なる第１チャンネル部３５に対して相対的に低い場合であっても、この電池ボックス３７部分における剛性低下を抑制することができる。
さらに、下部ケース３と鍵盤シャーシ２３とが電池ボックス３７の近傍においてねじ３７２で締結されているので、下部ケース３と鍵盤シャーシ２３とをより一体化させて、下部ケース３の剛性を向上させることができる。
【００３６】
また、電池ボックス３７は、円形の電池７の長手方向が左右方向を向くようにして前後２列で当該電池７を収容しており、この前後２列の間を分離する隆起部３９を有している。
そのため、この隆起部３９によって、前後２列の電池７を好適に分離して収容しつつ、下部ケース３の剛性を高めることができる。
【００３７】
なお、本発明を適用可能な実施形態は、上述した実施形態に限定されることなく、本発明の趣旨を逸脱しない範囲で適宜変更可能である。
例えば、上記実施形態では、電池ボックス３７が下部ケース３の左右方向（長手方向）のほぼ中央に設けられていることとしたが、電池ボックス３７の左右方向位置は特に限定されない。ただし、電池ボックス３７が左右端に寄ると下部ケース３の剛性や重量等が左右いずれかに偏るおそれがあるため、電池ボックス３７の左右方向位置はより中央に近い方が好ましい。
【００３８】
また、上記実施形態では、本発明に係る電子部品収容部が電池ボックス３７である場合を例に挙げて説明したが、当該電子部品収容部は、電池以外の電子部品（例えば回路基板やスピーカー等）を収容するものであってもよいし、収容する電子部品の数量や向き等も特に限定されない。
この場合、収容した電子部品が交換を要しないものであれば、電子部品収容部は楽器ケース（下部ケース）の底面に露出（又は開口）していなくともよい。
【００３９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の鍵と、
前記複数の鍵に対応して設けられ、対応する鍵の下部に設けられた回動軸を中心に回動可能に軸支され、前記回動軸よりも前側にある連結部が前記鍵の押下により押し下げられることに応じて前記回動軸よりも後側にある錘部が上昇するように各々が構成された複数のハンマー部材と、
前記複数の鍵及び前記複数のハンマー部材を収容する楽器ケースと、
を備え、
前記連結部の動作範囲の下限位置は、前記錘部の動作範囲の下限位置よりも上側に位置しており、
前記楽器ケースの内部のうち、前記鍵の動作範囲の下限位置よりも下側であって前記回動軸よりも前側の部分に、第１の電子部品を収容する第１電子部品収容部が設けられている電子鍵盤楽器。
＜請求項２＞
前記第１電子部品収容部は、前記連結部の動作範囲の下限位置よりも下側に設けられている、
請求項１に記載の電子鍵盤楽器。
＜請求項３＞
前記第１電子部品収容部は、前記連結部の動作範囲の前端位置よりも前側に設けられている、
請求項１又は請求項２に記載の電子鍵盤楽器。
＜請求項４＞
前記ハンマー部材の動作範囲の後端位置は、前記鍵の後端位置よりも前側に位置し、
前記楽器ケースの内部のうち、前記鍵の後端位置よりも後側に、第２の電子部品を収容する第２電子部品収容部が設けられている、
請求項１から請求項３のいずれか一項に記載の電子鍵盤楽器。
＜請求項５＞
前記ハンマー部材の前記錘部が前記動作範囲の下限位置にあるときには、前記錘部の下面が前記楽器ケースの下面に対して平行になる、
請求項１から請求項４のいずれか一項に記載の電子鍵盤楽器。
＜請求項６＞
前記第１電子部品収容部が前記楽器ケースの底面に露出している、
請求項１から請求項５のいずれか一項に記載の電子鍵盤楽器。
＜請求項７＞
前記楽器ケースは、背面を接地させて起立可能なように、前記背面に平坦部を有している、
請求項６に記載の電子鍵盤楽器。
＜請求項８＞
前記楽器ケースは上部ケース及び下部ケースを有し、
前記第１電子部品収容部は、前記下部ケースの底板を下方への凹状に凹凸させた部分である、
請求項１から請求項７のいずれか一項に記載の電子鍵盤楽器。
＜請求項９＞
前記下部ケースは、前記複数の鍵の配列方向のうち前記第１電子部品収容部が設けられた部分を除くほぼ全域に亘る範囲であって、前記第１電子部品収容部が設けられた前後方向位置に、前記配列方向に沿って延在しつつ上方への凸状に形成された第１凹凸部を有し、
前記第１電子部品収容部と前記第１凹凸部とが前記配列方向に連なっている、
請求項８に記載の電子鍵盤楽器。
＜請求項１０＞
前記回動軸が設けられたハンマー支持部材を備え、
前記下部ケースのうち、前記回動軸に対応する位置であって、前記第１電子部品収容部と前記錘部との間の前後方向位置には、前記ハンマー支持部材を下から支持する第２凹凸部が、前記複数の鍵の配列方向に沿って延在するように設けられている、
請求項８又は請求項９に記載の電子鍵盤楽器。
＜請求項１１＞
前記複数の鍵を下側で支持する鍵支持部材を備え、
前記鍵支持部材は、
前記下部ケースの前記第１凹凸部が嵌るように下方に凹状に設けられるとともに前記配列方向に沿って延在する溝部を有し、
前記溝部のうち、前記第１電子部品収容部に対応する前記配列方向の位置には、補強リブが立設されている、
請求項９に記載の電子鍵盤楽器。
＜請求項１２＞
前記下部ケースと前記鍵支持部材は前記第１電子部品収容部の近傍においてねじで締結されている、
請求項１１に記載の電子鍵盤楽器。
＜請求項１３＞
前記第１電子部品収容部が電池を収容する部分である、
請求項１から請求項１２のいずれか一項に記載の電子鍵盤楽器。
＜請求項１４＞
前記第１電子部品収容部は、円形の電池の長手方向が前記複数の鍵の配列方向に対応する向きになるようにして複数列で電池を収容し、前記複数列の間を分離する隆起部を有する、
請求項１３に記載の電子鍵盤楽器。
＜請求項１５＞
前記第１電子部品収容部は、ピアノにおける口棒のある前記楽器ケースの前側の位置であって、前記楽器ケースの背面板を下にして前記楽器ケースを起立させた状態で電池交換可能な位置に設けられている、
請求項１３又は請求項１４に記載の電子鍵盤楽器。
【符号の説明】
【００４０】
１      電子鍵盤楽器
２      鍵盤ユニット
３      下部ケース
５      上部ケース
７      電池
２１    鍵
２１ａ  白鍵
２１ｂ  黒鍵
２２    ハンマー部材
２３    鍵盤シャーシ
２４    ハンマー支持部材
３０    楽器ケース
３５    第１チャンネル部
３６    第２チャンネル部
３７    電池ボックス
３８    蓋部材
３９    隆起部
５１    背面板
５５    電子部品収容スペース
２３４  溝部
２３５  補強リブ
３７２  ねじ
Ｂ１    電池ボックスの後端位置
Ｈ２    錘部の動作範囲の下限位置
Ｈ３    連結部の動作範囲の下限位置
Ｈ５    錘部の動作範囲の後端位置
Ｈ６    連結部の動作範囲の前端位置
Ｋ２    鍵の動作範囲の下限位置
Ｋ３    鍵の後端位置
【図１】
2020064195.tif 000003
【図２】
2020064195.tif 000004
【図３】
2020064195.tif 000005
【図４】
2020064195.tif 000006
【図５】
2020064195.tif 000007
【図６】
2020064195.tif 000008
【図７】
2020064195.tif 000009
【図８】
2020064195.tif 000010